(57)【要約】【課題】シャワーホースを伝う水を水受手段が受けることにより水の飛散を防止し、下部キャビネット内部、内部収納物、床面等を濡らすことがないシャワー給水装置を提供する。【解決手段】基台の下側に配置されたシャワーホースを基台の上側に引き出すことによりシャワーヘッドの高さ等その位置を替えて使用可能なシャワー給水装置において、基台下側におけるシャワーホースに水受手段を移動可能に装着し、シャワーホースを伝う水を水受手段が受けることにより水の飛散を防止することを基本とし、前記水受手段は、シャワーホースに装着するための支持部と、水受部と、下部に設けられる錘を具え、さらに前記水受部は、水受器と、該水受器に水を誘導する上方に向け拡開したジョウゴ状のガイド部とからなり、排水を容易とするため前記水受器は取外し可能に形成する。【選択図】  図１
2004285742.tif 000002
【特許請求の範囲】
【請求項１】
基台の下側に配置されたシャワーホースを基台の上側に引き出すことによりシャワーヘッドの高さ等その位置を替えて使用可能なシャワー給水装置において、
基台下側におけるシャワーホースに水受手段を移動可能に装着し、
シャワーホースを伝う水を水受手段が受けることにより水の飛散を防止することを特徴とするシャワー給水装置。
【請求項２】
前記水受手段は、シャワーホースに装着するための支持部と、水受部と、下部に設けられる錘を具えることを特徴とする請求項１記載のシャワー給水装置。
【請求項３】
前記水受部は、水受器と、該水受器に水を誘導する上方に向け拡開したジョウゴ状のガイド部とからなることを特徴とする請求項１又は２記載のシャワー給水装置。
【請求項４】
前記水受器は、取外し可能に形成されていることを特徴とする請求項１〜３のいずれかに記載のシャワー給水装置。
【請求項５】
前記支持部は、シャワーホースの長手方向に沿い弓形に突出した溝状の摺動部を有することを特徴とする請求項１〜４のいずれかに記載のシャワー給水装置。
【請求項６】
前記支持部は、周面にシャワーホースの上面に嵌合する溝を持つローラーを有することを特徴とする請求項１〜４のいずれかに記載のシャワー給水装置。
【発明の詳細な説明】
【０００１】
【発明の属する技術分野】
本発明は、基台の下側に配置されたシャワーホースを基台の上側に引き出すことによりシャワーヘッドの高さ等その位置を替えて使用可能なシャワー給水装置に関する。
【０００２】
【従来の技術】
洗面化粧台、キッチン流し台等にシャワーヘッドを装備し、かつその高さの変更、使用者がシャワーヘッドを手に持って操作する必要等から、化粧台カウンター等基台の下側に配置され、かつシャワーヘッドに接続したシャワーホースを基台の上側に引き出し可能な構造のシャワー給水装置が普及している。
【０００３】
しかし、洗髪等の操作中に飛び跳ねた湯水が、基台の貫通部を経てシャワーホースを下方に伝い、シャワーホースの最下部近傍から滴下して、下部キャビネット内部、内部収納物、床面等を濡らす問題があった。
【０００４】
この問題解決のため、例えば図５に示すように、洗面化粧台においてその基台ａの下部を仕切り板ｂで区画するとともに、その奥部にシャワーヘッドｅに接続したシャワーホースｃの最下部近傍から滴下する水を溜める水受けトレイｄを配置する提案がなされている。
（例えば特許文献１参照）。
【０００５】
【特許文献１】
特開２００２−２２３９７０号公報（請求項１、図１）
【０００６】
しかしながら、シャワーヘッドｅを手で持って操作するため基台ａの上部に引き出されることにより、前記基台ａ下側において高く引き上げられたシャワーホースｃの最下点近傍から、大きな落差で滴下する水滴が水受けトレイｃから飛び跳ねて下部キャビネットの床面を濡らし、また仕切り板ｂにより区画されるために下部キャビネット内に形成される収納スペースが狭く制限され、さらに仕切り板ｂに形成された点検口を都度開閉して水受トレイｄに溜まった水量を点検、排出する煩雑な作業を必要とした。
【０００７】
【発明が解決しようとする課題】
本発明は、以上のような問題点に鑑み案出なされたもので、シャワーホースを伝う水が下部キャビネット内部、内部収納物、床面等を濡らすことのないシャワー給水装置の提供を目的とする。
【０００８】
【課題を解決するための手段】
本発明のうち請求項１記載の発明は、基台の下側に配置されたシャワーホースを基台の上側に引き出すことによりシャワーヘッドの高さ等その位置を替えて使用可能なシャワー給水装置において、基台下側におけるシャワーホースに水受手段を移動可能に装着し、シャワーホースを伝う水を水受手段が受けることにより水の飛散を防止することを特徴とし、請求項２では、前記水受手段は、シャワーホースに装着するための支持部と、水受部と、下部に設けられる錘を具え、さらに請求項３では、前記水受部は、水受器と、該水受器に水を誘導する上方に向け拡開したジョウゴ状のガイド部とからなる。
【０００９】
請求項４では、前記水受器が取外し可能に形成され、請求項５では、前記支持部がシャワーホースの長手方向に沿い弓形に突出した溝状の摺動部を有し、さらに請求項６では、前記支持部が周面にシャワーホースの上面に嵌合する溝を持つローラーを有することを特徴とする。
【００１０】
【発明の実施の形態】
以下本発明の実施の一形態を図面に基づき説明する。図１は、本発明のシャワー給水装置１の一部破断斜視図、図２はその主要部の一部破断斜視図、図３は主要部の縦断面図である。
【００１１】
図１において、本発明のシャワー給水装置１は、シャワーヘッド４と、該シャワーヘッド４に接続されたシャワーホース２と、シャワーホース２を伝う水を受ける水受手段５とからなる。
【００１２】
前記シャワーヘッド４は、本例では、開閉扉（図示せず）を備える箱状のキャビネット本体２１の上部にボウル２２を設けた洗面化粧台２３のカウンター３ａからなる基台３に装備され、カウンター３ａ奥部に嵌着された環状のホルダー２５に取外し可能に嵌合支持される。ホルダー２５から取外したシャワーヘッド４は、使用者が手で把持して操作する他、例えば前方壁面のホルダ（図示せず）に支持される等、高さを含め任意の位置において適宜使用される。なお本発明のシャワーヘッド４は、多数の小孔から高圧水を分散放水する所謂シャワー給水のほか、先端に設けた切替え機構（図示せず）により、中央の単一の給水孔から非分散状態で給水する場合を含む多様な給水形態に変更しうる機能を具えることも可能である。
【００１３】
また前記洗面化粧台２３には、シャワーヘッド４と並んで水栓２８を具え、本例では、屋内配管部を介して上水道に繋がる給水管２６と、屋外に設置されたガス、電気等の給湯ボイラから高熱水が供給される給湯管２７に接続され、その開閉と両者の混合調整により適温水の供給を得る混合水栓２８ａを水栓２８として採用する。またこの他、上水道に繋がる給水管２６と、給湯ボイラに繋がる湯管２７に個別に開閉栓を具えた水栓２８、上流側で調整された適温水の供給を受けて開閉のみをおこなう水栓２８等を設けることもできる。
【００１４】
さらに、前記ボウル２２底部には前記キャビネット本体２１の底板、及び居室の床を貫通して下水配管等に到る排水管を接続された排水孔（図示せず）を有し、また前記キャビネット本体２１内の空間は、棚、引き出し等を設けた収納部として構成される。
【００１５】
前記シャワーホース２は、ステンレス製の蛇腹ホース、樹脂製のホース等屈曲可能なもので形成され、混合水栓２８ａからシャワーヘッド４に向けて湯水を供給するため、一端を前記混合水栓２８ａの下端に下方から接続するとともに前記環状のホルダー２５に下方から貫挿した他端を前記シャワーヘッド４の尾部に接続し、カウンター３ａの下側で混合水栓２８ａとシャワーヘッド４間にＵ字状に配置される。
【００１６】
カウンター３ａの上側で位置を替えて操作されるシャワーヘッド４に引張られた前記シャワーホース２は、前記環状のホルダー２５内を上下にスライド移動することによりカウンター３ａの上側に引き出され、前記シャワーヘッド４の自由な移動を可能とする。また前記シャワーホース２のカウンター３ａの上側への引き出しに連動して、シャワーホース２のカウンター３ａの下側の部分はその長さが増減し、これにより、図１に示すように、前記Ｕ字状を成しながら水栓２８とホルダー２５間で昇降する。
【００１７】
尚、シャワーホース２のスライドを誘導してカウンター３ａの上下間の移動を円滑とするため、本例では、前記ホルダー２５の下部に連続かつ連通し、しかもシャワーホース２の外径よりも少し大きな内径の縦円筒ガイド３５を設ける。
【００１８】
前記水受手段５は、シャワーホース２に装着するための支持部６と、水受部７と、下部に設けられる錘８を具え、前記水受部７は、図２に示すように、円筒容器状の水受器９と該水受器９に水を誘導する上方に拡開したジョウゴ状のガイド部１０とからなる。
【００１９】
前記ガイド部１０は、ラッパ状状容器４８と、その中央の孔３７に連通して垂下されたセンタ管３８とからなり、ジョウゴ状に形成される。ガイド部１０のラッパ状容器４８は上方に拡開するため、前記シャワーホース２の最下部近傍から滴下する水を広範囲に亘って受けることができ、しかもガイド部１０のラッパ状容器４８の内側に傾斜する内周面に滴下する水は中央に向けて飛び跳ねるため、水受部７外部へ飛び出しがなく、収納部、収納物等を濡らすことがない。
【００２０】
また、本例では、前記ラッパ状容器４８の上縁部で、かつ前記シャワーホース２の長手方向に沿う両端に円弧状の凹部３６を設けているため、ガイド部１０とシャワーホース２の当接を防ぎ、水受手段５の円滑な移動を可能としている。
【００２１】
前記ガイド部１０が受けた滴下水は、中央の孔３７からセンタ管３８を落下して円筒容器状の水受器９内に溜まる。該水受器９は、その内周上部に形成した雌ネジ３１が、ガイド部１０のラッパ状容器４８の下部に垂下形成された円筒体３２外周面の雄ネジ部３２ａに螺合することにより、取外し可能に形成されているため、溜まった水を容易に排出することができる。
【００２２】
また前記水受器９は、水の量を外から目視判断するため、透明、又は半透明のプラスチックで形成することが好ましく、金属等非透明材で形成する場合には、水量確認用にガラスを嵌め込んだスリット窓を形成する。
【００２３】
前記支持部６は、本例では、図２、３に示すように、前記シャワーホース２上に載置支持される支持本体３３と、該支持本体３３左右両側部と前記水受部７を連結する左右一対の支持腕３４とからなる。
【００２４】
前記支持本体３３は、シャワーホース２の長手方向に沿いかつ下方に開口する溝状で、しかも前記長手方向に沿い下方に弓形に突出する摺動部１１を具え、該摺動部１１が、カウンター３ａの下側における前記Ｕ字状のシャワーホース２の上側に鞍状に嵌合することにより、水受手段５はシャワーホース２に移動可能に装着され、かつ前記水受手段５の自重及び前記水受器９内の水の重さ等により、前記Ｕ字状に配置されたシャワーホース２の最下点に向けて移動する。
【００２５】
また摺動部１１は、前記シャワーホース２の長手方向に沿いかつ下方に開口する溝状で、しかも前記長手方向に沿い下方に弓形に突出するため、図３に示すように、摺動部１１の略中央でしかも弓形に突出した湾曲した面において前記Ｕ字状のシャワーホース２の上側に点Ｐで接触し、このため外周面に多数のリング溝を持つ蛇腹状のシャワーホース２に対しても引掛りを生じることなく、水受手段５のシャワーホース２の最下点への移動が円滑となる。さらにシャワーホース２との摩擦を低減し、前記最下点への移動をより円滑とするため、前記摺動部１１の表面は、シリコン樹脂、フッ素樹脂等の滑面層で被覆することが好ましい。
【００２６】
前記錘８は水受手段５の下部に設けられ、本例では、図２に示すように、水受器９下部に取付けた金属製の半球体８ａにより形成され、特に前記水受器９内に水の溜まりが無い若しくは少ない時に、水受手段５の自重の不足を補い、シャワーホース２の最下点への移動を確実とし、かつシャワーホース２の出入に伴った水受手段５の急激な移動による水受手段５の揺動を抑制して水受部７内に溜まった水の零れを防ぐ。
【００２７】
しかして、本発明のシャワー給水装置１は、図１に示すように、シャワーヘッド４の操作に伴いカウンター３ａの上側に引出し、或いは下側に引き戻されるシャワーホース２の動きに連動し、前記支持部６により支持されて、前記Ｕ字状に配置されたシャワーホース２の最下点に移動した水受手段５の水受部７がシャワーホース２を伝わり前記最下点近傍から滴下する水を確実に受けるため、下部キャビネット内部、内部収納物、床面等を濡らすことがない。
【００２８】
図４は、水受手段５の異なる実施の形態を例示するもので、本例の水受手段５は、ローラー１３を有する支持部６と、水受部７を具える。
【００２９】
前記ローラー１３は前記シャワーホース２の長手方向に直行しかつ水平な中心軸をもつロール本体４３と、その両側に設けた前記中心軸と同芯の円盤状の鍔４０、４０間を具え、ロール本体４３の外周面と鍔４０の内側面により環状の溝１２を周面に形成している。双方の鍔４０、４０の間隔Ｄ１は、シャワーホース２の外径Ｄ２よりも少し大きく形成されているため、前記溝１２をシャワーホース２の上面に嵌合することにより、ロール本体４３の外周面がシャワーホース２に載置されるとともに、前記鍔４０、４０の内側面がシャワーホース２に当接して該シャワーホース２からの離脱を防ぐため、ローラー１３がシャワーホース２上を脱落することなく円滑に転動しうる。
【００３０】
また前記ローラー１３の前記中心軸において、水受部７から立ち上る腕３９が前記ローラー１３に枢支されているため、シャワーホース２の動きに連動してローラー１３がシャワーホース２上を転動して前記Ｕ字状のシャワーホース２の最下点に迅速かつ正確に移動することにより水受部７は前記最下点の下位の位置を維持し、該最下点近傍からの滴下水を確実に受けることがきる。
【００３１】
また、本例の水受部７は、ガイド部１０と水受器９を具える。前記ガイド部１０は、シャワーホース２の長手方向に沿って一対設けられ、かつ双方が外斜め上方に傾斜する前後の傾斜壁４５、４５と、該傾斜壁４５、４５間を繋ぎ、かつ前記傾斜壁４５よりも幅方向に長い左右の側壁４６、４６と、底板４７からなり、前記傾斜壁４５、４５により上方が拡開したジョウゴ状で、かつシャワーホース２の長手方向に沿って長く、しかも上方が開口した矩形長箱状に形成されるため、シャワーホース２の最下点の前後一定の範囲から滴下する水を確実に受けることができ、かつ前記傾斜壁４５に滴下した水は内側に向けて飛び跳ねるため、水受部７外部へ飛び出しがない。
【００３２】
さらに、前記水受器９は前記ガイド部１０の底板４７の下部に前記長手方向に長い矩形長箱状に形成され、ガイド部１０が受けた滴下水は、前記底板４７中央の落水孔４４から落下して水受器９内に溜まる。本例では、ガイド部１０と水受器９は透明プラスチックで一体成形され、かつ水受器９側面のに目盛り４１を形成しているため、水受器９内に溜まった水量を正確かつ容易に目視確認でき、しかも、その下部のコック４２により、溜まった水を容易に排出しうる。また水受器９の底面にはプレート状の錘８を具える。
【００３３】
また本例の水受手段５は、図４に示すように、シャワーホース２の長手方向に長い矩形長箱状のガイド部１０、水受器９からなる水受部７が支持部６によりシャワーホース２に装着されるため、シャワーホース２の幅から大きく飛出すことがなく、基台３下部の空間が収納部等として有効に利用しえる。
【００３４】
【発明の効果】
上述したように、本発明は、基台の下側に配置されたシャワーホースを基台の上側に引き出すことによりシャワーヘッドの高さ等その位置を替えて使用可能なシャワー給水装置において、基台下側におけるシャワーホースに水受手段を移動可能に装着することを基本とし、シャワーホースを伝う水を水受手段が受けることにより水の飛散を防止し、下部キャビネット内部、内部収納物、床面等を濡らすことがない。
【図面の簡単な説明】
【図１】本発明の一実施の形態を例示する一部破断斜視図である。
【図２】その要部斜視図である。
【図３】その要部断面図である。
【図４】水受手段の異なる実施の形態を例示する要部斜視図である。
【図５】従来例を示す断面図である。
【符号の説明】
２      シャワーホース
３      基台
４      シャワーヘッド
５      水受手段
６      支持部
７      水受部
８      錘
９      水受器
１０      ガイド部
１１      摺動部
１２      溝
１３      ローラー
【図１】
2004285742.tif 000003
【図２】
2004285742.tif 000004
【図３】
2004285742.tif 000005
【図４】
2004285742.tif 000006
【図５】
2004285742.tif 000007